(57)【要約】  【課題】  ロック機構とその周辺にある物品とが接触せず、また、不意にロック状態が外れてしまうことがなく、さらに、部品数を少なくすることで製造コストを少なくするロック機構を提供することを目的とする。【解決手段】  施錠物品にはロック部１２を有するロック部材１１と、ロック部材１１を収める括部２２を有する凹部２１とを備え、被施錠物品にはロック部１２を挿入する挿入口３１を備えたロック機構１であって、ロック部材１１には弾性変形可能で括部２２に係止される形状の係止部１３を備え、凹部２１にはロック部１２を通す切欠部２３を備え、ロック時はロック部１２が切欠部２３及び挿入口３１に挿入されるとともに括部２２に係止部１３が係止されるようにしたものである。【選択図】  図３
2005163872.tif 000002
【特許請求の範囲】
【請求項１】
施錠物品にロック部を有するロック部材と、前記ロック部材を収める括部を有する凹部とを備え、被施錠物品に前記ロック部を挿入する挿入口を有するロック機構であって、前記ロック部材には弾性変形可能で前記括部に係止される形状の係止部を備え、前記凹部には前記ロック部を通す切欠部を備え、ロック時は前記ロック部が前記切欠部及び挿入口に挿入されるとともに括部に係止部が係止されることを特徴とするロック機構。
【請求項２】
前記ロック部材にガイド部を備え、前記凹部にロック部材をガイドするガイド孔を備えたことを特徴とする請求項１に記載のロック機構。
【請求項３】
前記ガイド部を分離型とし、前記ガイド部の一方に雄体を備え、他方に雌体を備えて嵌着可能としたことを特徴とする請求項２に記載のロック機構。
【請求項４】
前記ガイド部を一体型とし、前記ガイド部に弾性変形可能な係止片を備えたことを特徴とする請求項２に記載のロック機構。
【請求項５】
請求項１乃至４の何れかに記載のロック機構を蓋付きの箱に備えたことを特徴とする蓋付きの箱。
【請求項６】
請求項１乃至４の何れかに記載のロック機構をパネル付きのラックに備えたことを特徴とするパネル付きのラック。
【発明の詳細な説明】
【技術分野】
【０００１】
本発明は、二つの物品を連結するためのロック機構に関する。
【背景技術】
【０００２】
従来、二つの物品を連結するためにはロック機構を用いたものが多数ある。例えば、蓋と箱との連結や、パネルとラックとの連結にはロック機構を用いたものがある。
【０００３】
ロック機構を用いた蓋付きの箱として知られているものは、実開平６-６１７４３号公報がある。
【０００４】
【特許文献１】実開平６−６１７４３号公報
【０００５】
図１８及び図１９に示すように、上記公報では蓋１４２と箱１４４とを連結するためのロック機構１４１に板ばね状の回動自在なスプリングロック１４３を用いている。箱１４４にはスプリングロック１４３を保持するスプリングロック保持部１４５が一体成形されており、スプリングロック保持部１４５はスプリングロック１４３が回動自在となるように設けられている。一方、蓋１４２にはスプリングロック１４３が掛止されるスプリングロック掛止部１４６が一体成形されている。このように構成された箱１４４と蓋１４２をロックする場合には、まず、蓋１４２を箱１４４に接合させ、次いでスプリングロック１４３を蓋１４２に向けて回動させ、スプリングロック掛止部１４６に掛止することにより箱１４４と蓋１４２はロックされるようになっている。
【０００６】
また、ロック機構を用いたパネル付きのラックとして知られているものは、特開２００２-２１７５７２号公報がある。
【０００７】
【特許文献１】特開２００２-２１７５７２号公報
【０００８】
図２０に示すように、上記公報では、ラッチ錠によるロック機構を用いてパネル１５２とラック１５３とを連結している。ラック１５３はフレーム型となっており、四隅のラックフレーム１５３は前面、左右側面ならびに背面を開口した状態で組成し、上面は天板に１５５より閉ざされている。前面のラックフレーム１５３には扉１５４が開閉自在に取り付けられており、錠により施錠できるように形成されている。また、左右側面ならびに背面のラックフレーム１５２には、側面パネル及び背面パネル１５２を取り付けるために、側面パネル及び背面パネルの内表面にラッチ錠１１１を設けている。ラッチ錠１１１はその内部に備えられたバネ（図示しない）により弾力的に突出するラッチ体１１２が左右側面ならびに背面のラックフレーム１５２に形成された係合部１３１に係合して取り付けるられるようになっている。また、側面パネル及び背面パネルの外表面にはラッチ体を後退、すなわちラッチ錠を解錠させるためのつまみ部１１３を設けている。つまみ部１１３はパネル１５２の外表面から突設しており、操作者はつまみ部１１３を操作することにより、ラックフレーム１５３へ各パネル１５２の取り付けまたは取り外しを簡単に行うことができる。
【発明の開示】
【発明が解決しようとする課題】
【０００９】
しかしながら、上記２つの公報に開示されているロック機構は、スプリングロックやラッチ錠を施錠物品から突出して設けているので、ロック機構とその周辺にある物品とが接触して最悪の場合には破損してしまうおそれがある。また、接触することにより不意にロック状態が外れてしまうおそれもあり不確実である。さらには、部品数が多いので、製造コストがかかってしまうという問題もある。
【００１０】
本発明はこのような問題に着目し、ロック機構とその周辺にある物品とが接触せず、また、不意にロック状態が外れてしまうことがなく、さらに、部品数を少なくすることで製造コストを少なくするロック機構を提供することを目的とする。そして、これと同時に本発明はロック機構を備えた蓋付きの箱とパネル付きのラックを提供することを目的とする。
【課題を解決するための手段】
【００１１】
本発明の請求項１に記載の発明は、施錠物品にはロック部を有するロック部材と、ロック部材を収める括部を有する凹部とを備え、被施錠物品にはロック部を挿入する挿入口を備えたロック機構であって、ロック部材には弾性変形可能で括部に係止される形状の係止部を備え、凹部にはロック部を通す切欠部を備え、ロック時はロック部が切欠部及び挿入口に挿入されるとともに括部に係止部が係止されるようにしたものである。
【００１２】
本発明の請求項２に記載の発明は、請求項１に記載の発明について、ロック部材にガイド部を備え、凹部にロック部材をガイドするガイド孔を備えたものである。
【００１３】
本発明の請求項３に記載の発明は、請求項２に記載の発明について、ガイド部を分離型とし、ガイド部の一方に雄体を備え、他方に雌体を備えて嵌着可能としたものである。
【００１４】
本発明の請求項４に記載の発明は、請求項２に記載の発明について、ガイド部を一体型とし、ガイド部に弾性変形可能な係止片を備えたものである。
【００１５】
本発明の請求項５に記載の発明は、請求項１乃至４の何れかに記載のロック機構を蓋付きの箱に備えたものである。
【００１６】
本発明の請求項６に記載の発明は、請求項１乃至４の何れかに記載のロック機構をパネル付きのラックに備えたものである。
【発明の効果】
【００１７】
本発明の請求項１に記載の発明は、ロック部材は凹部に設けられているので、ロック部材とその周辺にある物品とは殆ど接触せず、破損の可能性が低い。また、凹部では弾性変形可能な係止部が適度な密着力で括部に係止されるので、ロックする時の操作は確実かつ簡単に行うことができ、一方、ロック時は不意にロック状態が外れてしまうことはない。さらに、部品数が少ないので、製造コストが少ないという効果が得られる。
【００１８】
本発明の請求項２に記載の発明は、ガイド部をガイド孔に嵌め込むことにより、ロック部材がガイドされ、凹部にてロック部材のスライド操作を円滑にできる。
【００１９】
本発明の請求項３に記載の発明は、分離型のガイド部に備えた雄体及び雌体がガイド孔を挟んで嵌着することにより、簡単には外れることがなく、凹部にてロック部材のスライド操作を円滑にできる。
【００２０】
本発明の請求項４に記載の発明は、一体型のガイド部に備えた弾性変形可能な係止片をガイド孔に嵌め込むことにより、簡単に設置でき、また、ロック部材が一体型であるので、部品数を少なくし、凹部にてロック部材のスライド操作を円滑にできる。
【００２１】
本発明の請求項５に記載の発明は、本発明のロック機構を蓋付きの箱に備えることにより、ロック部材は凹部に設けられているので、ロック部材とその周辺にある物品とは殆ど接触せず、破損の可能性が低い。また、凹部では弾性変形可能な係止部が適度な密着力で括部に係止されるので、ロックする時の操作は確実かつ簡単に行うことができ、一方、ロック時は不意にロック状態が外れてしまうことはない。さらに、部品数が少ないので、製造コストが少ないという効果が得られる。
【００２２】
本発明の請求項６に記載の発明は、ロック機構をパネル付きのラックに備えることにより、ロック機構は凹部に設けられているので、ロック機構は凹部に設けられているので、ロック機構とその周辺にある物品とは殆ど接触せず、破損の可能性が低い。また、凹部では弾性変形可能な係止部が適度な密着力で括部に係止されるので、ロックする時の操作は確実かつ簡単に行うことができ、一方、ロック時は不意にロック状態が外れてしまうことはない。さらに、部品数が少ないので、製造コストが少ないという効果が得られる。
【発明を実施するための最良の形態】
【００２３】
以下、図面を用いて、本発明を実施するための最良の形態について説明する。
【実施例１】
【００２４】
はじめに、図１乃至３を用いて、本発明のロック機構の一実施例についてを説明する。図１はロック部材を凹部に収める前の状態を示している。図において、ロック機構１は施錠する物品にロック部材１１と凹部２１とを備えている。ロック部材１１はロック部１２、係止部１３、及びつまみ部１４を備え、凹部２１は括部２２及び切欠部２３を備えている。また、施錠される物品には挿入口３１を備えている。
【００２５】
図２はロック部材１１を凹部２１に収めた状態を示している。ロック部材１１は凹部２１から突出しない状態で収められ、操作者の操作により凹部２１にてスライド移動できるものである。凹部２１にロック部材１１が収められるので、ロック機構１とその周辺にある物品とは殆ど接触せず、互いの破損の可能性が低い。また、凹部２１では弾性変形可能な係止部１３が適度な密着力で括部２２と係止するので、ロックする時の操作は確実かつ簡単に行うことができ、一方、ロック時は不意にロック状態が外れてしまうことはない。ロック部１２は切欠部２３及び挿入口３１に挿入できるほどの大きさ及び形状に設けられる。また、係止部１３は弾性変形可能であり、かつ、凹部２１の幅が狭くなっている括部２２にて密着した状態で係止されるように設けられる。括部２２で係止部１３を係止できるようにするため、係止部１３も括れた形状に設ける。また、つまみ部１４は凹部２１にてロック部材１１をスライド移動させる際の操作者の操作を簡単にするものであり、操作者はつまみ部１４を指でつまむことにより簡単にスライド移動できる。
【００２６】
図３はロック機構１をロックした状態を示している。ロック機構１をロックする時、凹部２１にてロック部材１１をスライド移動させると、係止部１３の先端は括部２２に当接して徐々に弾性変形していく。さらに続いてスライド移動させると弾性変形した係止部１３の先端は徐々に元に戻り、括部２２と係止部１３の最も括れた部分とが密着して係止される。これにより、ロック機構１はロックされた状態となり、この時、ロック部１１は切欠部２３及び挿入口３１に挿入されている。
【００２７】
以上、本実施例のロック機構１によれば、ロック部材１１は凹部２１に設けられているので、ロック機構１とその周辺にある物品とは殆ど接触せず、破損の可能性が低い。また、凹部２１では弾性変形可能な係止部１３が適度な密着力で括部２２に係止されるので、ロックする時の操作は確実かつ簡単に行うことができ、一方、ロック時は不意にロック状態が外れてしまうことはない。さらに、部品数が少ないので、製造コストが少ないという効果が得られる。
【実施例２】
【００２８】
次に、図４乃至９を用いて、本発明のロック機構の一実施例について説明する。図４乃至９に示すロック機構は、図１乃至３に示したロック機構にガイド機構を備えたものであり、ロック部材にガイド部を備え、凹部にロック部材をガイドするガイド孔を備えている。これにより、ロック部材がガイドされ、凹部にてロック部材のスライド操作を円滑にできる。なお、実施例１で説明した構成と同一の構成には同一の符号を付し、重複する説明は省略する。
【００２９】
図４に示すのは、凹部２１にロック部材１１をガイドするガイド孔２４を備えたものである。ロック部材１１に備えたガイド部１５がガイド孔２４に嵌着されることで、ロック部材１１のスライド操作を円滑にできる。本実施例においてガイド部１５は分離型１５ａと一体型１５ｂがある。
【００３０】
図５及び図６に示すのはロック部材１１に分離型のガイド部１５ａを備えたものであり、ガイド部１５ａの一方に雄体１６を備え、他方に雌体１７を備えてこれらを嵌着可能としている。図５は嵌着前を示し、図６は嵌着後を示している。分離型のガイド部１５ａは、雄体１６及び雌体１７がガイド孔２４を挟んで嵌着し、これにより、簡単には外れることがなく、凹部２１にてロック部材１１のスライド操作を円滑にできる。
【００３１】
また、図７乃至９に示すのはロック部材１１に一体型のガイド部１５ｂを備えたものであり、ロック部材１１の裏面に弾性変形可能な係止片１８を備えている。係止片１８をガイド孔２４に嵌め込むことにより、簡単に設置できるようにしている。ロック部材１１が一体型であるので、部品数が少なく、凹部２１にてロック部材１１のスライド操作を円滑にできる。図７は一体型のガイド部１５ｂを備えたロック部材１１の表面を示し、図８はその裏面を示している。また、図９はガイド孔に嵌着した状態を示す断面図である。
【００３２】
以上、本実施例のロック機構１'によれば、ロック部材１１にガイド部２４を備え、これをガイド孔２４に嵌め込むことにより、ロック部材１１がガイドされ、凹部２１にてロック部材１１のスライド操作を円滑にできる。また、ロック部１２に備えるガイド部を分離型１５ａとすれば、雄体１６及び雌体１７がガイド孔２４を挟んで嵌着するので、簡単には外れることがなく、一方、ロック部１２に備えるガイド部を一体型１５ｂとすれば、一体に備えられている係止片１３をガイド孔２４に嵌め込むだけなので、簡単に設置でき、何れも凹部２１にてロック部材１１のスライド操作を円滑にできる。
【実施例３】
【００３３】
次に、図１０乃至１３を用いて、本発明のロック機構を蓋付きの箱に用いた場合について説明する。なお、実施例１及び２で説明した構成と同一の構成には同一の符号を付し、重複する説明は省略する。
【００３４】
本実施例で説明する蓋付きの箱は通い箱４１であり、上下蓋４２，４３と折畳み可能な中箱４４からなる。通い箱４１は輸送に際して使用する箱であり、輸送時は組立てて輸送し、輸送後は中箱４４を折り畳んで持ち帰るようにし、これにより、繰り返し使用できるようにしている。上下蓋４２，４３は樹脂製を使用し、中箱４４は折り畳み可能な樹脂製の箱、あるいは段ボール箱を使用する。
【００３５】
上下蓋４２，４３の端部には切欠部２３を有する凹部２１を複数箇所形成し、この位置にロック部材１１を設置する。また、図１１に示すように、凹部２１にはガイド孔２４を備えており、図１０に示すように、本実施例ではロック部材１１に備えるガイド部は分離型１５ａを用いる。雄体１６及び雌体１７がガイド孔２４を挟んで嵌着し、これにより、簡単には外れることがなく、凹部２１にてロック部材１１のスライド操作を円滑にできる。また、中箱４４には上下蓋４２，４３を被せて接合したとき切欠部２３と重なる位置に挿入口３１を形成している。図１２はロック部材１１を凹部２１に収めた状態を示し、図１３はロックした状態を示している。ロックすることで、上下蓋４２，４３と中箱４４は連結する。また、ロックした時、切欠部２３は挿入口３１を挟むように形成し、ロック部１２が両方の切欠部２３にかかるように形成している。すなわち、ロック部１２が切欠部２３−挿入口３１−切欠部２３にかかることで、切欠部２３−挿入口３１でロックするよりもさらにロック作用を得ることができ、ロック時に上下蓋４２，４３が開けられるような外力がかかってもロック状態を強固に維持することができる。なお、切欠部２３を上記のように形成せず、切欠部２３−挿入口３１でロックしてもロック作用を得ることはできる。また、複数箇所の凹部２１に収めるロック部材１１は全箇所ロックしなくてもよく、場面により適宜に判断して通い箱４１を使用することができることは言うまでもない。
【００３６】
以上、本実施例のロック機構を備えた通い箱４１によれば、ロック部材１１は凹部２１に設けられているので、ロック部材１１とその周辺にある物品とは殆ど接触せず、破損の可能性が低い。また、凹部２１では弾性変形可能な係止部１３が適度な密着力で括部２２に係止されるので、ロックする時の操作は確実かつ簡単に行うことができ、一方、ロック時は不意にロック状態が外れてしまうことはない。さらに、部品数が少ないので、製造コストが少ないという効果が得られる。
【００３７】
なお、本実施例では上下蓋４２，４３に凹部２１を備え、また、中箱４４に挿入口３１を備えるようにしたが、これを逆にしてもよく、上下蓋４２，４３に挿入口３１を備え、また、中箱４４に凹部２１を備えるようにしてもよく、上記と同様の効果が得られる。また、ガイド部は一体型１５ｂを用いてもよい。この他、本実施例では蓋付きの箱に通い箱を例に挙げたが、クーラーボックスや弁当箱等、様々な蓋付きの箱にも用いることができる。
【実施例４】
【００３８】
次に、図１４乃至１７を用いて、本発明のロック機構をパネル付きのラックに用いた場合について説明する。なお、実施例１及び２で説明した構成と同一の構成には同一の符号を付し、重複する説明は省略する。
【００３９】
本実施例で説明するパネル付のラックはサーバーラック５１であり、パネル５２とフレーム型のラック５３を備えている。サーバーラック５１はメインコンピュータやメモリー機器を収納するラックである。四隅のラックフレーム５３は前面、左右側面ならびに背面を開口した状態で組成し、上面は天板５５により閉ざされている。また、前面のラックフレーム５３には扉５４が開閉自在に取り付けられている。
【００４０】
左右側面ならびに背面のパネル５２の端部には切欠部２３を有する凹部２１を複数箇所形成し、この位置にロック部材１１を設置する。また、図１５に示すように、凹部２１にはガイド孔２４を備えており、本実施例ではロック部材１１に備えるガイド部２４は一体型１５ｂを用いる。図８に示すようにロック部材１１の裏面には弾性変形可能な係止片１８を備え、係止片１８をガイド孔２４に嵌め込むことにより、簡単に設置でき、凹部２１にてロック部材１１のスライド操作を円滑にできる。また、左右側面ならびに背面のラックフレーム５３には、パネル５２を取り付けたとき切欠部２３と重なる位置に挿入口３１を形成している。図１６はロック部材１１を凹部２１に収めた状態を示し、図１７はロックした状態を示している。ロック時は、ロック部１２は切欠部２３から突出し、この部分が挿入口３１に挿入される。これにより、パネル５２とラック５３は連結する。なお、複数箇所の凹部２１に収めるロック部材１１は全箇所をロックしなくてもよく、場面により適宜に判断してサーバーラック５１を使用することができることは言うまでもない。
【００４１】
以上、本実施例のロック機構を備えたサーバーラック５１によれば、ロック部材１１は凹部２１に設けられているので、ロック部材１１とその周辺にある物品とは殆ど接触せず、破損の可能性が低い。また、凹部２１では弾性変形可能な係止部１３が適度な密着力で括部２２に係止されるので、ロックする時の操作は確実かつ簡単に行うことができ、一方、ロック時は不意にロック状態が外れてしまうことはない。さらに、部品数が少ないので、製造コストが少ないという効果が得られる。
【００４２】
なお、本実施例ではパネル５２に凹部２１を備え、ラック５３に挿入口３１を備えるようにしたが、これを逆にしてもよく、パネル５２に挿入口３１を備え、ラック５３に凹部２１を備えるようにしてもよく、上記と同様の効果が得られる。また、ガイド部は分離型１５ａを用いてもよい。この他、本実施例ではパネル付のラックにサーバーラックを例に挙げたが、この他、様々なパネル付きのラックにも用いることができる。
【図面の簡単な説明】
【００４３】
【図１】本発明の実施例１のロック部材を凹部に収める前の状態を示す図
【図２】本発明の実施例１のロック部材を凹部に収めた状態を示す図
【図３】本発明の実施例１のロック部材をロックした状態を示す図
【図４】本発明の実施例２の凹部に備えたガイド孔を示す図
【図５】本発明の実施例２の分離型のガイド部を備えたロック部材の嵌着前を示す図
【図６】本発明の実施例２の分離型のガイド部を備えたロック部材の嵌着後を示す図
【図７】本発明の実施例２の一体型のガイド部を備えたロック部材の表面を示す図
【図８】本発明の実施例２の一体型のガイド部を備えたロック部材の裏面を示す図
【図９】本発明の実施例２の一体型のガイド部を備えたロック部材の嵌着状態を示す断面図
【図１０】本発明の実施例３の通い箱を示す図
【図１１】本発明の実施例３のロック部材を凹部に収める前の状態を示す部分拡大図
【図１２】本発明の実施例３のロック部材を凹部に収めた状態を示す部分拡大図
【図１３】本発明の実施例３のロック部材をロックした状態を示す部分拡大図
【図１４】本発明の実施例４のサーバーラックを示す図
【図１５】本発明の実施例４のロック部材を凹部に収める前の状態を示す部分拡大図
【図１６】本発明の実施例４のロック部材を凹部に収めた状態を示す部分拡大図
【図１７】本発明の実施例４のロック部材をロックした状態を示す部分拡大図
【図１８】従来のロック機構を用いた蓋付きの箱の連結前の状態を示す図
【図１９】従来のロック機構を用いた蓋付きの箱の連結した状態を示す図
【図２０】従来のロック機構を用いたパネル付のラックを示す図
【符号の説明】
【００４４】
１，１'  ロック機構
１１  ロック部材
１２  ロック部
１３  係止部
１４  つまみ部
１５ａ  ガイド部（分離型）
１５ｂ  ガイド部（一体型）
１６  雄体
１７  雌体
１８  係止片
２１  凹部
２２  括部
２３  切欠部
２４  ガイド孔
３１  挿入口
４１  通い箱（蓋付きの箱）
４２  上蓋
４３  下蓋
４４  中箱
５１  サーバーラック（パネル付のラック）
５２  パネル
５３  ラック
５４  扉
５５  天板
【図１】
2005163872.tif 000003
【図２】
2005163872.tif 000004
【図３】
2005163872.tif 000005
【図４】
2005163872.tif 000006
【図５】
2005163872.tif 000007
【図６】
2005163872.tif 000008
【図７】
2005163872.tif 000009
【図８】
2005163872.tif 000010
【図９】
2005163872.tif 000011
【図１０】
2005163872.tif 000012
【図１１】
2005163872.tif 000013
【図１２】
2005163872.tif 000014
【図１３】
2005163872.tif 000015
【図１４】
2005163872.tif 000016
【図１５】
2005163872.tif 000017
【図１６】
2005163872.tif 000018
【図１７】
2005163872.tif 000019
【図１８】
2005163872.tif 000020
【図１９】
2005163872.tif 000021
【図２０】
2005163872.tif 000022